(57)【要約】  手乾燥装置は、手を出し入れできる広さの手挿入部と、手挿入部に向かって空気を送出するノズルと、ノズルから空気を送出する高圧空気流発生装置９と、高圧空気流発生装置９を内部に備えたケーシング１と、ケーシング１の外側に開閉可能または着脱可能に設けられケーシング１の一部を覆うカバー１６と、ケーシング１とカバー１６とに跨って形成されてケーシング１およびカバー１６の外部の空気を吸い込む吸気口１８と、高圧空気流発生装置９の吸込側と吸気口１８を連通させ吸気口１８から吸い込んだ空気を高圧空気流発生装置９に吸い込ませる吸気通路１９とを備え、吸気通路１９の少なくとも一部がケーシング１とカバー１６との間に構成されている。
2013011701.tif 000002
【特許請求の範囲】
【請求項１】
手を出し入れできる広さの手挿入部と、
前記手挿入部に向かって空気を送出するノズルと、
前記ノズルから空気を送出する高圧空気流発生装置と、
前記高圧空気流発生装置を内部に備えたケーシングと、
前記ケーシングの外側に開閉可能または着脱可能に設けられ前記ケーシングの一部を覆うカバーと、
前記ケーシングと前記カバーとに跨って形成されて前記ケーシングおよび前記カバーの外部の空気を吸い込む吸気口と、
前記高圧空気流発生装置の吸込側と前記吸気口を連通させ前記吸気口から吸い込んだ空気を前記高圧空気流発生装置に吸い込ませる吸気通路とを備え、
前記吸気通路の少なくとも一部が前記ケーシングと前記カバーとの間に構成されていることを特徴とする手乾燥装置。
【請求項２】
前記吸気通路は、前記ケーシングの内部に形成される内部吸気通路と、前記ケーシングの外部に形成される外部吸気通路とを有し、
前記外部吸気通路は、前記ケーシングと前記カバーとの間に構成されていることを特徴とする請求項１に記載の手乾燥装置。
【請求項３】
前記ケーシングには、前記内部吸気通路の入口となる内部吸気口が形成され、
前記内部吸気口に着脱可能に設けられて、前記吸気口から吸い込んだ空気の中の塵埃を除去するフィルターをさらに備え、
前記カバーを開くまたは取り外すと前記フィルターが露出し前記フィルターの着脱操作が可能となることを特徴とする請求項２に記載の手乾燥装置。
【請求項４】
前記外部吸気通路において、前記ケーシングから前記カバーに向かって突出したケーシング側障壁と、前記カバーから前記ケーシングまたは背面側に向かって突出したカバー側障壁とを備え、
前記ケーシング側障壁と前記カバー側障壁は空気の流れ方向に間隔を持たせて配置され、前記ケーシング側障壁の端と前記カバー側障壁の端が前後方向または上下方向で互いに立体的に重なり合っていることを特徴とする請求項２または請求項３に記載の手乾燥装置。
【請求項５】
前記カバーは前記ケーシングの正面に設けられていることを特徴とする請求項１〜４のいずれか１つに記載の手乾燥装置。
【請求項６】
前記吸気口は前記ケーシングの側面と前記カバーの側面とに跨って形成されていることを特徴とする請求項１〜５のいずれか１つに記載の手乾燥装置。
【請求項７】
前記カバーには、前面側から背面側に向かって立ち上がる吸気口壁が設けられ、
前記吸気口壁が前記吸気口の一部を構成することを特徴とする請求項５または請求項６に記載の手乾燥装置。
【請求項８】
前記ケーシングの側面の一部に凹部が形成され、
前記凹部が前記吸気口の一部を構成することを特徴とする請求項５〜７のいずれか１つに記載の手乾燥装置。
【請求項９】
前記凹部の底面は、背面側から前面側に向かうにしたがって左右方向における中央側に向かって傾斜することを特徴とする請求項８に記載の手乾燥装置。
【請求項１０】
前記吸気口は前記手挿入部の前後方向の中央より正面側に設けられていることを特徴とする請求項６に記載の手乾燥装置。
【請求項１１】
前記ケーシングの前記カバーで覆われる位置に電源の入り切りまたは前記ノズルから送出される空気の速度若しくは温度を切り替える操作スイッチを備え、前記カバーを開くまたは取り外すと前記操作スイッチが露出し前記操作スイッチの操作が可能となることを特徴とする請求項３に記載の手乾燥装置。
【請求項１２】
前記操作スイッチの外周には前記ケーシングから突出する囲い壁を設け、前記吸気通路と前記操作スイッチが隔離されていることを特徴とする請求項１１に記載の手乾燥装置。
【発明の詳細な説明】
【技術分野】
【０００１】
本発明は、洗浄後の濡れた手を乾燥させるための手乾燥装置に関するものである。
【背景技術】
【０００２】
従来より、温風空気や高速空気を濡れた手に当てることで手を乾燥させる手乾燥装置が知られている。例えば、特許文献１には、上部に高圧空気発生部が構成され、下寄りの中央部に乾燥処理部が構成され、下部にドレン処理部が構成され、高圧空気発生部のブロアーの吸込側には天部を構成しているトップパネルの内面に一方の開口部が対向する吸込用ダクトが接続され、この吸込用ダクトを介して装置外に開口した吸込口から取入れられる空気がブロアーに吸込まれ、吸込用ダクトの開口部にはフィルターが装着され、そのフィルターはトップパネルと装置の前面を構成するフロントパネルとの間に前部が介在していて、側面に設けられた着脱機構の操作により正面から引き抜いて取り外したり、押し込んで装着する手乾燥装置が開示されている。【０００３】
また、特許文献２には、手を出し入れできる広さと奥行きを備えた処理空間に高圧空気流発生装置による作動気流をエアーノズルによって高速空気流として噴出させて処理空間内において手を乾燥する手乾燥装置であって、その高圧空気流発生装置を処理空間の上部に構成し、この高圧空気流発生装置への空気の吸込通路を処理空間より上部の前面側に構成し、その吸込口をエアーノズルが噴出する高速空気から離れる位置に設け、吸込通路に着脱可能に水よけ部材と連設したエアーフィルターを設けた手乾燥装置が開示されている。【０００４】
また、特許文献３には、手を抜き差しできる処理空間に挿入される手に対して高圧空気発生部により生成させる作動気流を当てる手乾燥装置であって、高圧空気発生部に対する吸込み経路の外部に開口する吸込口の近傍にフィルターを設け、吸込口の内部に流れ方向に間隔を持ち、先端が互いに立体的に重なり合う千鳥状に配列させた複数の障壁を設けた手乾燥装置が開示されている。【０００５】
また、特許文献４には、吸込口の近傍にフィルターを設け、その下流側の吸気通路の中に、流れ方向に間隔を持ち、先端が互いに立体的に重なり合うように配列させた複数の障壁を設けた手乾燥装置が開示されている。
【先行技術文献】
【特許文献】
【０００６】
【特許文献１】特開平９−２９９２７９号公報（段落「００２５」〜「００２６」、図３）
【特許文献２】特開２００２−１１９４３９号公報（請求項１、４、５、段落「００２０」、図１）
【特許文献３】特開平１１−１１３７９５号公報（請求項１、４、図２、図３）
【特許文献４】特開２００１−２１２０２５号公報（段落「００１３」、図１）
【発明の概要】
【発明が解決しようとする課題】
【０００７】
従来の手乾燥装置では、内蔵する送風手段によって手乾燥装置の外殻に設けた吸気口から空気を吸い込みノズルから高速空気を噴出しているが、その吸込み空気中には塵埃やゴミなどが含まれていることもあるため、それが途中で堆積して詰まらないように吸気口と送風手段の吸込側との間の吸気通路（上記先行技術文献の吸込用ダクトまたは吸込通路または吸込み経路または吸気通路に相当）にフィルターが着脱可能に設けられている。しかし、吸気口からフィルターまでの間の吸気通路には、吸込口から吸い込まれた塵埃やゴミが堆積し汚され、最悪の場合には吸気通路を塞がれてしまうが、吸気通路は外部から分解できないので容易に清掃できないという問題があった。【０００８】
また、吸気通路には中へ水滴を吸い込まないように障壁（特許文献２の水よけ部材や特許文献３の障壁に相当）が設けられている場合もあるが、障壁がフィルターより吸気口側に設けてある場合にはフィルターと連接して障壁を設け、障壁をフィルター共に手乾燥装置の吸気口から抜き差しして着脱可能とすることで、障壁に溜まった塵埃やゴミを清掃することができるが、障壁を抜き差しできる為には抜き差し方向から見て障壁が吸気通路の内壁と重ならないように障壁と吸気通路の間に隙間を設ける必要があり、障壁を設けても隙間から水滴が侵入してしまうため水滴の吸い込みを十分には防止できないという問題があった。【０００９】
また、フィルターが障壁より吸気口側に設けてある場合には、吸気通路の中に流れ方向に間隔を持ち、先端が互いに立体的に重なり合うように配列させた複数の障壁を設けることができるので、障壁で水滴の吸い込みを十分に防止することができ、フィルターも吸込口から抜き差し可能であるが、吸込口からフィルターまでに障壁がないため、もしも吸込口から水滴が吸い込まれるとフィルターおよびフィルターで捕集している塵埃が濡れてしまい、フィルターの目詰まりを加速させたり、捕集した塵埃にカビが発生したりする恐れがあるなどの問題があった。【００１０】
本発明は、上記課題を解決するためになされたもので、塵埃やゴミなどによる吸気口や吸気通路の汚れや詰りの清掃を簡単に行うことができる手乾燥装置を得るものである。【００１１】
また、フィルターや吸気通路の中へ水滴が侵入しない手乾燥装置を得るものである。
【課題を解決するための手段】
【００１２】
この発明に係る手乾燥装置においては、手を出し入れできる広さの手挿入部と、手挿入部に向かって空気を送出するノズルと、ノズルから空気を送出する高圧空気流発生装置と、高圧空気流発生装置を内部に備えたケーシングと、ケーシングの外側に開閉可能または着脱可能に設けられケーシングの一部を覆うカバーと、ケーシングとカバーとに跨って形成されてケーシングおよびカバーの外部の空気を吸い込む吸気口と、高圧空気流発生装置の吸込側と吸気口を連通させ吸気口から吸い込んだ空気を高圧空気流発生装置に吸い込ませる吸気通路とを備え、吸気通路の少なくとも一部がケーシングとカバーとの間に構成されている。
【発明の効果】
【００１３】
吸気口や吸気通路の清掃性を向上させた手乾燥装置を得ることができる。
【図面の簡単な説明】
【００１４】
【図１】図１は、この発明の実施の形態１に係る手乾燥装置の外観を示す斜視図である。
【図２】図２は、この発明の実施の形態１に係る手乾燥装置の側面図である。
【図３】図３は、この発明の実施の形態１に係る手乾燥装置の平面図である。
【図４】図４は、この発明の実施の形態１に係る手乾燥装置の側面断面図である。
【図５】図５は、図２に示すＡ−Ａ線に沿った矢視断面図である。
【図６】図６は、この発明の実施の形態１に係る手乾燥装置のカバーを開いた状態の外観を示す斜視図である。
【図７】図７は、この発明の実施の形態１に係る手乾燥装置で、図６においてフィルターを外した状態の手乾燥装置の外観を示す斜視図である。
【図８】図８は、この発明の実施の形態１に係る手乾燥装置で、図６においてカバーを外した状態の手乾燥装置の外観を示す斜視図である。
【発明を実施するための形態】
【００１５】
以下に、本発明の実施の形態にかかる手乾燥装置を図面に基づいて詳細に説明する。なお、この実施の形態によりこの発明が限定されるものではない。
【００１６】
実施の形態１．
図１は本発明の実施の形態１に係る手乾燥装置の外観を示す斜視図、図２は側面図、図３は平面図、図４は側面断面図である。図１〜図４に示すように、手乾燥装置の外殻をなすケーシング１は、正面に手挿入口２を有し、手挿入口２に続く処理空間として手挿入部３を備えており、手を挿抜できるようにしてある。手挿入部３は、ケーシング１の正面下部に、正面と両側面が開放した開放シンク状の凹部として形成される。手挿入部３の下部を形成する水受け部４と手挿入部３の奥側とにはその端縁部に曲面構成の立ち上がりによる防壁構造５が設けられ、側方や前方に水が飛散しないようになっている。水受け部４の底部は前方に向かって下傾していて、その傾斜下端に排水口６が設けられている。水受け部４の下方には排水口６から滴下する水を貯留するドレン容器７が抜き差し自在に設けられている。なお、手挿入部３の内面には、シリコン系もしくはフッ素系等の撥水性コーティング、酸化チタン等の親水性を有するコーティング、又は抗菌剤が含浸され、内面に汚れが付着するのを軽減したり、細菌が繁殖したりするのを低減するようにしてある。手挿入部３の上部には、手挿入部３に向かって下方に高速空気を吹き出すノズル１２が設けられる。ノズル１２の背面側の近傍には手挿入部３の中の手の有無を検知する手検知センサー１４が設けられている。
【００１７】
手挿入部３の上方には、ケーシング１と背面側の手乾燥装置の外殻をなすベース８とで箱体状の空間が構成される。この箱体状の空間内には、ＤＣブラシレスモーター（整流子モーター又は誘導電動機でもよい）とＤＣブラシレスモーターによって回転するターボファンとにより構成された高圧空気流発生装置９と、高圧空気流発生装置９の吸気側と手挿入部３より上方でケーシング１の正面に設けられた内部吸気口１０を連通する内部吸気通路１１と、高圧空気流発生装置９の排気側とノズル１２とを連通する排気通路１３と、手検知センサー１４の手の検知に応じて高圧空気流発生装置９を運転させる制御回路（図示せず）が組み込まれている。排気通路１３の途中であってノズル１２より上流側近傍には、高圧空気流発生装置９から送られてくる空気を加熱して温風化させるヒーター１５が設けられている。手挿入部３の上部であってケーシング１の正面の外側には、手乾燥装置の外殻をなし、左側の端がケーシング１に回転可能に支持されて手乾燥装置の正面側に開閉自在で、かつケーシング１から着脱することもできるカバー１６が取り付けられている。
【００１８】
図５は、図２に示すＡ−Ａ線に沿った矢視断面図である。図５に示すように、ケーシング１の左右の側面の一部に、背面側から前面側に向かうにしたがって、左右方向における中央側に向かって傾斜する傾斜部１７ａを設けている。また、ケーシング１の正面と側面との稜線の一部および側面の一部が凹む凹部１７を設けている。すなわち、ケーシング１の側面において、傾斜部１７ａとその他の部分との間には段差が設けられることになる。この段差部分をつなげることで、傾斜部１７ａ部分が、ケーシング１の側面の一部を凹ませた凹部１７となる。傾斜部１７ａは凹部１７の底面となる。カバー１６を閉じた状態で、カバー１６の外周は、凹部１７以外の部分ではケーシング１に当接する。また、凹部１７部分では、カバー１６の外周が凹部１７に当接せず、カバー１６と凹部１７との間に形成された空間が外部吸気口１８となる。外部吸気口１８は外部に向かって開口する。すなわち、外部吸気口１８は、カバー１６とケーシング１とに跨って形成されている。尚、外部吸気口１８と手挿入部３との前後方向の相対位置は、手挿入部３の前後方向の中心位置より正面側に形成される。本実施の形態では、外部吸気口１８と手挿入部３との前後方向の相対位置を、手挿入部３の正面側の手挿入口２とほぼ同じ位置としている。
【００１９】
カバー１６の左右の両側であって外部吸気口１８を形成する部分には、手乾燥装置の正面側から背面側に向かって立ち上がる吸気口壁２２が一体で設けられる。これにより、外部吸気口１８の最小断面積となる面の法線が背面側へ向かって傾き、外部吸気口１８が背面側に向かって開口して設けられる。尚、本実施の形態１では凹部１７を設けているが、凹部１７を設けない場合であっても、カバー１６をケーシング１よりも大きくして、吸気口壁２２がケーシング１の左右側面より外側に位置するようにすれば、背面側に向かって開口する外部吸気口１８を設けることができる。カバー１６の外周より内側には、内部吸気口１０と外部吸気口１８を連通する外部吸気通路１９が、カバー１６とケーシング１により構成される。すなわち、カバー１６とケーシング１とに跨って外部吸気通路１９が構成されている。これは、カバー１６とケーシング１との間に外部吸気通路１９が形成されているともいえる。
【００２０】
図６は、本発明の実施の形態１に係る手乾燥装置のカバー１６を開いた状態の外観を示す斜視図である。図７は、図６のフィルター２０を外した状態の手乾燥装置の外観を示す斜視図である。図７に示すように、ケーシング１の内部への空気の取り込み口となる内部吸気口１０は、ケーシング１の正面部分に形成されている。また、図６に示すように内部吸気口１０部分には、フィルター２０が取り付けられている。図５に示すように、外部吸気通路１９には、ケーシング１の正面に一体で設けられ、ケーシング１からカバー１６に向かって突出したケーシング側障壁２３がフィルター２０を囲むように上下方向および左右方向に繋がって延びて設けられている。また、外部吸気通路１９には、カバー１６に一体で設けられ、カバー１６からケーシング１に向かってまたは手乾燥装置の背面側に向かって突出したカバー側障壁２４が上下方向および左右方向に繋がって延びて設けられている。ケーシング側障壁２３とカバー側障壁２４は外部吸気通路１９の中の風の流れ方向に間隔をもって配置されるとともに、ケーシング側障壁２３とカバー側障壁２４のそれぞれの先端が前後方向に互いに重なり合うように立体的に配置されている。尚、本実施の形態１ではケーシング側障壁２３とカバー側障壁２４のそれぞれの先端が前後方向に互いに重なり合うように配置したものを示したが、それぞれの先端を対向するケーシング１またはカバー１６に当接させるとともに、ケーシング側障壁２３とカバー側障壁２４の上下方向に配置位置をずらしてケーシング側障壁２３とカバー側障壁２４の上下方向の端で、上下方向で互いに重なるように立体的に配置してもよい。また、本実施の形態１では、吸気口壁２２の先端をケーシング側障壁２３の先端より背面側の位置まで延ばして前後方向に互いに重なり合うように立体的に設けてあるので、吸気口壁２２はカバー側障壁２４としても機能する。
【００２１】
図６に示すように、カバー１６を開いて現れるケーシング１の正面には、ケーシング１に設けられた内部吸気口１０を覆い、外部吸気口１８から外部吸気通路１９を通って内部吸気口１０から高圧空気流発生装置９へ吸い込まれる空気中の塵埃を除去する樹脂製または金属製のフィルター２０が前後方向の抜き差し動作で着脱できるようにケーシング１に取付けられている。フィルター２０の面積は外部吸気口１８および外部吸気通路１９の通風方向に対する断面積よりも大きくしてある。ケーシング１の正面であってフィルター２０の近傍には、操作スイッチ２１がその操作部が正面側に向かうように設けられ、使用者が正面側から視認し操作しやすくなっている。操作スイッチ２１には、制御回路（図示せず）への通電の入り切りを行う電源スイッチ２１ａと、ノズル１２からの吹き出し風の風速の強弱を切り替えたり、ヒーター１５の入り切りを行う切替スイッチ２１ｂがあり、ケーシング１の正面は電源スイッチの２１ａ及び切替スイッチ２１ｂをそれぞれ取り囲む囲い壁２５が正面側に突出するように一体で設けられ、カバー１６を閉じたとき囲い壁２５がカバー１６の内面側に当接するようになっている。尚、フィルター２０はＨＥＰＡフィルターや抗菌フィルターであってもよい。
【００２２】
図８は、図６のカバー１６を外した状態の手乾燥装置の外観を示す斜視図である。
【００２３】
次に外部吸気口１８、内部吸気口１０、外部吸気通路１９、内部吸気通路１１、高圧空気流発生装置９のレイアウトについて説明する。内部吸気口１０の位置は、外部吸気口１８に対し上下方向で外部吸気口１８の上下中央位置より上方にある。また、高圧空気流発生装置９は吸込側が背面側でモーターの回転軸が水平になるように設けられ、高圧空気流発生装置９より正面側に設けられている内部吸気口１０と高圧空気流発生装置９の吸込側を連通させる内部吸気通路１１は、内部吸気口１０の位置から次第に斜め上方へ上り、水平になって高圧空気流発生装置９の上方を背面側へ伸び、下方に屈曲して高圧空気流発生装置９の吸込側と連通している。また、内部吸気口１０付近の内部吸気通路１１には、空気の流れ方向に平行な格子状のリブ２６がフィルター２０のメッシュのピッチよりも大きいピッチで設けられ、内部吸気通路１１が細かく区画されているので、万一フィルター２０を装着し忘れた場合でも紙くずなど大きなゴミがリブ２６で引っ掛り吸い込まれないようになっている。
【００２４】
次に手を乾燥させる使用時の動作について説明する。カバー１６を開き、電源スイッチ２１ａを入り（ＯＮ）にすると、制御回路（図示せず）に通電されカバー１６を閉じて使用可能状態となる。そして、使用者が濡れた手を手挿入口２から手挿入部３内に手首付近まで入れると、手検知センサー１４ によって手の挿入が検知され、制御回路（図示せず）の処理により高圧空気流発生装置９が作動する。高圧空気流発生装置９が作動すると、手乾燥装置の外の空気がケーシング１に設けられた傾斜部１７ａおよび吸気口壁２２に沿って背面側から正面側に向かって流れて外部吸気口１８から吸い込まれる。外部吸気口１８から吸い込まれた空気は、外部吸気通路１９を通りケーシング側障壁２３およびカバー側障壁２４で進路を曲げられて進み、フィルター２０で塵埃が除去されて内部吸気口１０に吸い込まれる。外部吸気口１８から水滴が吸い込まれても、ケーシング側障壁２３およびカバー側障壁２４で水滴の通過が遮断されるため、ほとんどの水滴を除去することができる。
【００２５】
内部吸気口１０に吸い込まれた空気は、内部吸気通路１１を通って、内部吸気口１０の位置より一旦上がり、高圧空気流発生装置９の上方を通って背面側に向かい、下方に移動して高圧空気流発生装置９の吸込側から吸い込まれる。高圧空気流発生装置９は吸気側から吸い込んだ空気を排気側から高圧空気に変換して排気し、排気された高圧空気は排気通路１３を通りノズル１２から高い運動エネルギーを持つ高速空気流に変換され手挿入部３内に下方に向かって吹き出される。ノズル１２から吹き出された高速空気流は、手挿入部３に挿入されている濡れた手に当り、手に付着した水分を手の表面から剥離して吹き飛ばして手を乾燥させることができる。さらに、手挿入部３ 内で手を挿抜させることによって、手全体に付着していた水滴がすべて排除され、手が乾燥処理される。尚、切替スイッチ２１ｂでヒータスイッチを入り（ＯＮ）にしている場合には、ヒーター１５が通電され排気通路１３を通る高圧空気が加熱されるため、ノズル１２からは温風が吹き出され冬場などにおいても使用感がよい。手の乾燥処理終了後、手を手挿入部３から抜き出すと、手が抜かれたことを手検知センサー１４が検知し、高圧空気流発生装置９が停止する。手から吹き飛ばされた水滴は、前傾構造の水受け部４において排水口６に向かって流下し、排水口６からドレン容器７に収容される。
【００２６】
次に清掃メンテナンスの作業について説明する。手乾燥装置の使用とともにフィルター２０には塵埃が堆積して圧力損失が大きくなり、ノズル１２から吹き出される高速空気の勢いが弱くなってしまうため、フィルター２０を定期的に清掃する必要がある。フィルター２０を清掃する場合は、正面側からカバー１６の右側を手前に引いて正面側に開き、操作スイッチ２１およびフィルター２０を露出させ、操作スイッチ２１の一つである電源スイッチ２１ａを切り（ＯＦＦ）にしてから、フィルター２０を手前に引きケーシング１からフィルター２０を離脱させて清掃を行う。また、カバー１６を開くことで外部吸気通路１９および右側の外部吸気口１８を二分割に分離して外部吸気通路１９および右側の外部吸気口１８の風路の内壁の全体を露出させ、更にカバー１６をケーシング１から取り外すことで左側の外部吸気口１８も二分割に分離して左側の外部吸気口１８の風路の内壁の全体も露出させ、外部吸気通路１９および外部吸気口１８の通風される風路の内壁の全体の表面についた塵埃を布などで拭いて清掃する。
【００２７】
以上の構成の手乾燥装置によれば、外部吸気口１８および外部吸気通路１９がケーシング１およびカバー１６に跨って分割して構成されているとともにカバー１６が開閉可能もしくは着脱可能にケーシング１に取り付けられているので、カバー１６を開くもしくは取り外すことで、外部吸気通路１９および外部吸気口１８をケーシング１とカバー１６に分離して外部吸気通路１９および外部吸気口１８の通風される風路の内壁の全体の表面を露出させることができ、外部吸気通路１９および外部吸気口１８に詰ったゴミの除去や内壁の表面についた塵埃を布などで拭いて簡単に清掃することができる。
【００２８】
また、フィルター２０を外部吸気通路１９に設け、カバー１６を開くとフィルター２０が露出してケーシング１から着脱可能になるので、フィルター２０の形状を、外部吸気口１８を通して着脱できる形状にする必要がない。そのため、外部吸気口１８の形状や外部吸気通路１９の形状によってフィルター２０の形状が制約されることがなく、外部吸気口１８や外部吸気通路１９の風路の断面積よりも大きな面積のフィルターを自由に設けることができる。より大きな面積のフィルターを用いることで、フィルターが目詰りするまでの使用時間を長くしフィルター２０での圧力損失を小さくすることができる。また、手乾燥装置の中にフィルター２０を設けることができるので、手を乾燥させているときに飛び散る水滴などでフィルター２０が濡れてしまうことがほとんどなくなる。そのため、フィルター２０およびフィルター２０で捕集している塵埃が水で濡れることで、フィルター２０の目詰まりを加速させたり、捕集した塵埃にカビが発生したりすることを防止することができる。
【００２９】
また、ケーシング１からカバー１６に向かって突出したケーシング側障壁２３とカバー１６からケーシング１または背面側に向かって突出したカバー側障壁２４を設け、そのケーシング側障壁２３とカバー側障壁２４は流れ方向に間隔を持ち、ケーシング側障壁２３の端とカバー側障壁２４の端が前後方向または上下方向で互いに立体的に重なり合って配置されているので、外部吸気口１８から水滴が吸い込まれてもケーシング側障壁２３とカバー側障壁２４で水滴の侵入を抑えることができる。したがって、フィルター２０およびフィルター２０で捕集している塵埃が水で濡れにくくなり、フィルターの目詰まりを加速させたり、捕集した塵埃にカビが発生したりすることを防止することができる。また、カバー１６を開くもしくは取り外すことで、外部吸気通路１９および外部吸気口１８をケーシング１とカバー１６に分離してケーシング側障壁２３およびカバー側障壁２４を露出させることができるので、ケーシング側障壁２３およびカバー側障壁２４にゴミが詰っても簡単に除去し清掃を行うことができる。
【００３０】
また、外部吸気口１８はケーシング１の側面およびカバー１６の側面に跨って設けられ、外部吸気口１８のカバー１６側に正面側から背面側に向かって立ち上がる吸気口壁２２が設けられているので、外部吸気口１８の開口方向が背面側になる。そのため、内部吸気通路１１や外部吸気通路１９を通って外部吸気口１８から洩れて放射される高圧空気流発生装置９の騒音が正面側には伝播されにくくなるため、使用者の不快感を低減させることができる。
【００３１】
また、ケーシング１の側面の一部に外部吸気口１８に繋がる凹部１７を設けたので、カバー１６の左右方向の大きさをケーシング１の左右方向の大きさと同等にして外部吸気口１８を背面側に向けて開口させることができる。外部吸気口１８を背面側に向けるためにカバー１６大きく形成した場合に比べて意匠性を損ないにくくしつつ、高圧空気流発生装置９の騒音の正面側への伝播を低減することで使用者の不快感を低減させることができる。
【００３２】
また、凹部１７の底面を正面側が左右方向において中央側になるように傾斜部１７ａを設けているので、外部の空気が背面側から正面側に向かってケーシング１の側面に沿ってスムーズに流れて外部吸気口１８から吸い込まれるため、外部吸気口１８での圧力損失を低減できるとともに吸込み空気の乱れに伴って発生する騒音を低減することができる。
【００３３】
また、カバー１６はケーシング１の正面に設けられているので、手乾燥装置が床に直に設置される場合や手乾燥装置の側面の近傍に建物の壁がある場合などの設置環境でも、正面側からのアクセスで支障なくカバーを開閉しフィルター２０や外部吸気口１８や外部吸気通路１９を清掃することができるので、狭いトイレなどでの設置性を向上させることができる。
【００３４】
また、ケーシング１の正面に電源の入り切りまたはノズル１２から送出される空気の強さを切り替える操作スイッチ２１を備え、カバー１６を開くまたは取り外すと操作スイッチ２１が露出し操作可能となるので、手を乾燥させるために手乾燥装置を使用する不特定の使用者には操作スイッチ２１の所在が分かりにくくなり、いたずらなどで勝手に操作スイッチが操作されにくくなる。また、フィルター２０の清掃時にカバー１６を開くまたは外すと操作スイッチ２１も露出するので、メンテナンスする人がフィルター清掃時に電源スイッチ２１ａを視認しやすく、フィルターの清掃作業前に電源スイッチ２１ａの状態を容易に確認できる。したがって、確実に電源スイッチを切りにしてからフィルターの清掃作業を行いやすくなり、メンテナンス中に手乾燥装置が不意に動作してしまうことを防ぐことができる。
【００３５】
また、操作スイッチ２１の外周にはケーシング１から正面側に突出する囲い壁２５を設け、カバー１６を閉じたとき囲い壁２５がカバー１６の内面側に当接して外部吸気通路１９と操作スイッチ２１が隔離されているので、外部吸気口１８から吸われる空気中の塵埃が電源スイッチ２１ａや切替スイッチ２１ｂに付着することを防止することができる。
【００３６】
また、外部吸気口１８は手挿入部３の前後方向の中央より正面側に設けられているので、設置する建物の壁に窪みを設け、その窪みに手乾燥装置の背面から手挿入部３が半分程度入った状態での半埋込設置状態でも外部吸気口１８が窪みの外にあるので、空気の吸込みに支障をきたしにくい。更に、外部吸気口１８の位置を前後方向の位置において手挿入部３の正面側の手挿入口２とほぼ同じ位置に設ければ、手乾燥装置を殆ど壁の中に埋め込ませた埋込設置状態でも設置することができ、狭いトイレなどでの設置性を更に向上させることができる。
【産業上の利用可能性】
【００３７】
以上のように、本発明にかかる手乾燥装置は、手に付着した水滴を高圧空気流によって乾燥させる手乾燥装置に有用である。
【符号の説明】
【００３８】
１  ケーシング
２  手挿入口
３  手挿入部
４  水受け部
５  防壁構造
６  排水口
７  ドレン容器
８  ベース
９  高圧空気流発生装置
１０  内部吸気口
１１  内部吸気通路
１２  ノズル
１３  排気通路
１４  手検知センサー
１５  ヒーター
１６  カバー
１７  凹部
１７ａ  傾斜部
１８  外部吸気口
１９  外部吸気通路
２０  フィルター
２１  操作スイッチ
２１ａ  電源スイッチ
２１ｂ  切替スイッチ
２２  吸気口壁
２３  ケーシング側障壁
２４  カバー側障壁
２５  囲い壁
２６  リブ
【図１】
2013011701.tif 000003
【図２】
2013011701.tif 000004
【図３】
2013011701.tif 000005
【図４】
2013011701.tif 000006
【図６】
2013011701.tif 000007
【図７】
2013011701.tif 000008
【図８】
2013011701.tif 000009
【図５】
2013011701.tif 000010
【国際調査報告】
2013011701.tif 000011
2013011701.tif 000012
2013011701.tif 000013